(57)【要約】【課題】コストをかけずに、発電装置の盗難を防止することができるシンプルで据付が容易な発電装置の据付構造を提供する。【解決手段】発電装置１は２ｋＶＡ〜６ｋＶＡ程度の小容量の発電装置であり、発電装置１の底面の周縁部には、フランジ２ａ，２ｃの先端部が内方に面するように溝形部材２が配置されている。基礎面５と接するフランジ２ａには、アンカーボルト６が挿入される孔２ｄが形成されており、当該孔２ｄにアンカーボルト６を挿入してナット７および座金８で固定する。また、もう一方のフランジ２ｃおよび当該フランジ２ｃと接する発電装置のフレーム３には、アンカーボルト６にナット７を締め付ける際の工具を挿入可能な貫通孔９が形成されている。【選択図】図１
2008148427.tif 000002
【特許請求の範囲】
【請求項１】
発電装置の底面の周縁部に溝形部材の一方のフランジが固着され、他方のフランジがアンカーボルトで基礎面に固定されてなる発電装置の据付構造において、
フランジ先端部が内方に面するように前記溝形部材が配置され、前記溝形部材の一方のフランジおよび当該フランジと接する発電装置のフレームには、前記アンカーボルトにナットを締め付ける際の工具を挿入可能な貫通孔が形成されていることを特徴とする発電装置の据付構造。
【請求項２】
発電装置の底面の周縁部に溝形部材の一方のフランジが固着され、他方のフランジがアンカーボルトで基礎面に固定されてなる発電装置の据付構造において、
フランジ先端部が外方に面するように前記溝形部材が配置され、前記溝形部材の対向するフランジ間に取り付けれたスリーブによって、前記アンカーボルトの頭部および当該アンカーボルトに締結されているナットが覆われていることを特徴とする発電装置の据付構造。
【発明の詳細な説明】
【技術分野】
【０００１】
本発明は、発電装置の据付構造に関し、特に、防災用、あるいは集中監視カメラや道路の電光掲示板等の電源として用いられる小容量の発電装置の据付構造に関する。
【背景技術】
【０００２】
防災用、あるいは集中監視カメラや道路の電光掲示板等の電源として用いられる小容量の発電装置５０は、エンジン発電機および当該エンジン発電機を制御する制御部などが筐体内に収納されている。
【０００３】
このような小容量の発電装置を基礎面に据付ける場合、図５に示すように、発電装置５０の底面の周縁部に溝形部材５１の一方のフランジをボルトや溶接等で固着するとともに、コンクリートからなる基礎面５２にアンカーボルト５３で他方のフランジを固定するようにしている。
しかし、小容量の発電装置５０はユニック車程度で運搬が可能なため、アンカーボルト５３に締結されているナット５４を外せば、容易に持ち去ることができる。このため、屋外に設置されることが多い小容量の発電装置は盗難にあいやすいという問題を抱えていた。
【０００４】
一方、特許文献１の従来技術には、切断したＬ型鋼を溶接にて組み合わせてスカート部を形成したチャンネルベースが示されている。
このチャンネルベースでは、Ｌ型鋼からなるアンカー取付用の据付部が水平片の内側端部に固着されており、アンカーボルトおよびナットがスカート部に隠れるため、盗難を防止することができる。
【特許文献１】特許第３５６７８２１号公報
【発明の開示】
【発明が解決しようとする課題】
【０００５】
しかしながら、特許文献１に記載されたチャンネルベースは、Ｌ型鋼を切断し、溶接にて組み合わせてスカート部を形成し、さらにＬ型鋼からなるアンカー取付用の据付部を水平片の内側端部に溶接して固着しなければならないため、加工に手間が掛かり、高コストとならざるを得ない。
【０００６】
本発明は、上述する問題点に鑑みてなされたもので、コストをかけずに、発電装置の盗難を防止することができるシンプルで据付が容易な発電装置の据付構造を提供することを目的とする。
【課題を解決するための手段】
【０００７】
上記目的を達成するため、本発明は、発電装置の底面の周縁部に溝形部材の一方のフランジが固着され、他方のフランジがアンカーボルトで基礎面に固定されてなる発電装置の据付構造において、フランジ先端部が内方に面するように前記溝形部材が配置され、前記溝形部材の一方のフランジおよび当該フランジと接する発電装置のフレームには、前記アンカーボルトにナットを締め付ける際の工具を挿入可能な貫通孔が形成されていることを特徴とするものである。
ここで、内方とは、発電装置の底面の周縁部に配された溝形部材で囲まれた内部空間に面する方向をいう。また、その逆方向を外方とする。
【０００８】
本発明では、フランジ先端部が内方に面するように溝形部材を配置することで、アンカーボルトおよびナットが溝形部材のウェブに隠れて外部から見えないようにしている。
このため、設置状態においては、外部からはアンカーボルトのナットを容易に取り外すことはできず、発電装置が盗難にあうおそれがない。
また、溝形部材の向きを内側に変え、ナット締め付け用の貫通孔を設けるだけでよいので、構造がシンプルで、コストが掛からない。
この据付構造とするには、発電装置を基礎面に置いて、当該発電装置の扉等を開放状態とし、上側に配置される溝形部材のフランジの貫通孔から工具を挿入して、アンカーボルトにナットを締め付けて他方のフランジを基礎面上に固定することにより、行うことができる。
【０００９】
また、本発明は、発電装置の底面の周縁部に溝形部材の一方のフランジが固着され、他方のフランジがアンカーボルトで基礎面に固定されてなる発電装置の据付構造において、フランジ先端部が外方に面するように前記溝形部材が配置され、前記溝形部材の対向するフランジ間に取り付けられたスリーブによって、前記アンカーボルトの頭部および当該アンカーボルトに締結されているナットが覆われていることを特徴としている。
【００１０】
本発明では、フランジ先端部が外方に面するように溝形部材を配置するので、ナットの締め付けが容易であるうえ、ナットが取り外せないように、アンカーボルトおよびナットにスリーブをかぶせて固定することで発電装置の盗難を防止している。
また、アンカーボルトおよびナットにスリーブをかぶせて固定するだけでよいので、構造がシンプルであり、コストも掛からない。
【発明の効果】
【００１１】
本発明では、フランジ先端部が内方に面するように溝形部材を配置して、アンカーボルトおよびナットがウェブに隠れて外部から見えないようにしているので、アンカーボルトからナットを容易に取り外すことができず、発電装置が盗難にあうおそれがなく、構造もシンプルで、コストが掛からない。
【００１２】
また、本発明では、フランジ先端部が外方に面するように溝形部材を配置し、アンカーボルトおよびナットにスリーブをかぶせてナットが取り外せないようにしてもよく、このようにすることで、発電装置の盗難を防止することができるだけでなく、発電装置の据付も容易となる。
【発明を実施するための最良の形態】
【００１３】
以下、本発明に係る発電装置の据付構造の実施形態について図面に基づいて説明する。
図１は、本発明に係る発電装置の据付構造の第一の実施形態を示したものである。
なお、以下の説明では、発電装置の底面の周縁部に配された溝形部材で囲まれた内部空間に面する方向を「内」、その逆方向を「外」と呼ぶ。
【００１４】
本発電装置１は、防災用、あるいは集中監視カメラや道路の電光掲示板等の電源として用いられる小容量（２ｋＶＡ〜６ｋＶＡ程度）の発電装置である。
この発電装置１においてエンジン発電機（図示省略）および当該エンジン発電機を制御する制御部（図示省略）等が収納される筐体２１は、図５に示したものと同じ外観形状を呈しており、その正面形状を図２に示したように、縦長の直方体形状とされ、正面に、その全面を開放可能な扉４が設けられている。
【００１５】
発電装置１の底面の周縁部には、その各辺に沿って溝形部材２が固定されている。この溝形部材２は、その両側のフランジ２ａ，２ｃの先端部が内方に面するように配置されている。コンクリート造とされた基礎面５と接するフランジ（下側に配置されるフランジ）２ａには、アンカーボルト６が挿入される孔２ｄが四隅に形成されており、当該孔２ｄにアンカーボルト６を挿入してナット７と座金８で固定する。
【００１６】
また、もう一方のフランジ（上側に配置されるフランジ）２ｃおよび当該フランジ２ｃと接する発電装置のフレーム３には、アンカーボルト６にナット７を締め付ける際に利用する貫通孔９が形成されている。
この貫通孔９は、例えばナット７を締め付けるための六角レンチ等の工具が挿入可能な大きさに形成され、アンカーボルト６を通す孔２ｄと同軸上に配置されている。
【００１７】
発電装置１をアンカーボルト６が埋め込まれた基礎面５へ据付ける場合は、以下の手順により行う。
（１）まず、発電装置１の底面の周縁部に、フランジ２ａ，２ｃの先端部が内方に面するように溝形部材２を配置し、溝形部材２の一方のフランジ２ｃを発電装置のフレーム３にボルトや溶接等で固着する。この作業は予め工場等で実施しておいてもよい。
（２）次に、溝形部材２の他方のフランジ２ａに形成された孔２ｄに、基礎面５から露出しているアンカーボルト６を挿入し、発電装置１を溝形部材２を介して基礎面５上にセットする。
（３）そして、発電装置１の扉４を開け、フランジ２ｃおよび当該フランジ２ｃと接する発電装置のフレーム３に形成された貫通孔９を利用して、アンカーボルト６の頭部にナット７と座金８をセットして締め付ける。
【００１８】
本実施形態による発電装置の据付構造では、フランジ２ａ，２ｃの先端部が内方に面するように溝形部材２を配置して、アンカーボルト６およびナット７がウェブ２ｂに隠れて外部から見えないようにしているので、発電装置１の扉４を開けない限り、アンカーボルト６からナット７を取り外すことができず、発電装置１が盗難にあうおそれがない。
【００１９】
また、溝形部材２の向きを内側に変え、ナット締め付け用の貫通孔９を設けるだけでよいので、構造がシンプルで、コストが掛からない。
加えて、アンカーボルト６およびナット７が外部から見えないので見栄えが良い。
【００２０】
次に、他の実施形態について説明する。
図３は、本発明に係る発電装置の据付構造の第二の実施形態を示したものである。
本実施形態では、フランジ２ａ，２ｃの先端部が外方に面するように、発電装置１の底面の周縁部に溝形部材２が配置され、基礎面５と接するフランジ（下側に配置されるフランジ）２ａは先の実施形態の場合と同様にアンカーボルト６で基礎面５に固定されている。
【００２１】
また、もう一方のフランジ（上側に配置されるフランジ）２ｃおよび当該フランジ２ｃと接する発電装置のフレーム３には貫通孔１１が形成され、当該貫通孔１１を挿通する円筒状のスリーブ１０によって、アンカーボルト６の頭部および当該アンカーボルト６に締結されているナット７が覆われている。
円筒状のスリーブ１０の両端部の周囲は、溝形部材２のフランジ２ａ，２ｃにそれぞれシール部材１２によって固定され、動かないようになっている。
【００２２】
発電装置１をアンカーボルト６が埋め込まれた基礎面５へ据付ける場合は、以下の手順により行う。
（１）まず、発電装置１の底面の周縁部に、フランジ２ａ，２ｃの先端部が外方に面するように溝形部材２を配置し、溝形部材２の一方のフランジ２ｃを発電装置のフレーム３にボルトや溶接等で固着する。先の実施形態の場合と同様、この作業は予め工場等で実施しておいてもよい。
（２）次に、溝形部材２の他方のフランジ２ａに形成された孔２ｄに、基礎面５から露出しているアンカーボルト６を挿入し、発電装置１を溝形部材２を介して基礎面５上にセットする。
（３）外側からアンカーボルト６の頭部にナット７と座金８をセットして締め付ける。
【００２３】
（４）発電装置１の扉４を開け、フランジ２ｃおよび当該フランジ２ｃと接する発電装置のフレーム３に形成された貫通孔１１に、鋼管または塩ビ管などからなる円筒状のスリーブ１０を挿し込み、アンカーボルト６の頭部および当該アンカーボルト６に締結されているナット７を遮蔽する。
（５）フランジ２ａ，２ｃと接するスリーブ１０の両端部については、その周囲をそれぞれシール部材１２により固定して、スリーブ１０が動かないようにするとともに、スリーブ１０内に雨水が浸入しないようにする。
【００２４】
また、スリーブ１０の両端部の周囲にシール部材１２を設けず、図４に示すように、円筒状のスリーブ１０が動かないように、スリーブ１０の上端面をカバープレート１３で押さえ付けても良い。この場合、カバープレート１３自体はフレーム３の内側にシール部材１２やビスで固定する。
【００２５】
本実施形態による発電装置の据付構造では、フランジ２ａ，２ｃの先端部が外方に面するように溝形部材２を配置するので、ナット７の締め付け作業時には開放状態の外側から施工することができて作業が容易であるうえ、ナット７が取り外せないように、アンカーボルト６およびナット７にスリーブ１０をかぶせて固定することで発電装置１の盗難を防止している。
【００２６】
また、アンカーボルト６およびナット７にスリーブ１０をかぶせて固定するだけでよいので、構造がシンプルであり、コストも掛からない。
加えて、アンカーボルト６およびナット７がスリーブ１０に遮蔽されて外部から見えないので見栄えが良い。
【００２７】
以上、本発明に係る発電装置の据付構造の実施形態について説明したが、本発明は上記の実施形態に限定されるものではなく、その趣旨を逸脱しない範囲で適宜変更可能である。要は、本発明において所期の機能が得られればよいのである。
【図面の簡単な説明】
【００２８】
【図１】本発明に係る発電装置の据付構造の第一の実施形態を示す要部の拡大断面図である。
【図２】図１に示される発電装置の正面図である。
【図３】本発明に係る発電装置の据付構造の第二の実施形態を示す要部の拡大断面図である。
【図４】本発明に係る発電装置の据付構造の第三の実施形態を示す要部の拡大断面図である。
【図５】発電装置の据付構造の従来例を示し、（ａ）は発電装置を側面から見た図、（ｂ）はＡ部の拡大断面図である。
【符号の説明】
【００２９】
１…発電装置、２…溝形部材、２ａ，２ｃ…フランジ、２ｂ…ウェブ、２ｄ…孔、３…フレーム、４…扉、５…基礎面、６…アンカーボルト、７…ナット、８…座金、９，１１…貫通孔、１０…スリーブ、１２…シール部材、１３…カバープレート、２１…筐体
【図１】
2008148427.tif 000003
【図２】
2008148427.tif 000004
【図３】
2008148427.tif 000005
【図４】
2008148427.tif 000006
【図５】
2008148427.tif 000007